(57)【要約】【課題】簡易な構成で除水量を正確に測定する。【解決手段】血液浄化器１２０と、補液管路１３１と、透析液管路１４１と、排液管路１５１と、第１供給源１３０と、第１分岐路１４２と、第１貯液部１４０と、第２分岐路１５２と、第２貯液部１５０と、第１ポンプ１６０と、第２ポンプ１６１と、第３ポンプ１６２と、第１バルブ１３１ｖと、第２バルブ１４２ｖと、第３バルブ１５１ｖと、第４バルブ１５２ｖと、秤１３９とを備える。秤１３９は、第１貯液部１４０および第２貯液部１５０の全体の重量変化を測定する。【選択図】図１
2018027205.tif 000002
【特許請求の範囲】
【請求項１】
上流側から下流側に向けて血液が流れる血液回路に組み込まれた血液浄化器と、
前記血液浄化器より前記血液回路の前記上流側または前記下流側に補液を供給する補液管路と、
前記血液浄化器内に透析液を供給する透析液管路と、
前記血液浄化器から排出された排液を流す排液管路と、
前記補液管路に接続され、前記補液および前記透析液である、第１液を供給する第１供給源と、
前記補液管路および前記透析液管路に接続され、前記第１液が流れる第１分岐路と、
前記第１分岐路に接続され、前記第１液を一時的に貯液し、貯液した前記第１液を送出可能な第１貯液部と、
前記排液管路に接続され、前記排液が流れる第２分岐路と、
前記第２分岐路に接続され、前記排液を一時的に貯液し、貯液した前記排液を送出可能な第２貯液部と、
前記透析液管路に設けられ、前記透析液管路を流れる前記透析液を送り出す第１ポンプと、
前記補液管路に設けられ、前記補液管路を流れる前記補液を送り出す第２ポンプと、
前記排液管路に設けられ、前記排液管路を流れる前記排液を送り出す第３ポンプと、
前記補液管路において前記第１分岐路との接続位置より上流側に設けられ、前記補液管路を開閉する第１バルブと、
前記第１分岐路において、前記補液管路との接続位置と、前記透析液管路との接続位置との間に設けられ、前記第１分岐路を開閉する第２バルブと、
前記排液管路において、前記第２分岐路との接続位置より下流側に設けられ、前記排液管路を開閉する第３バルブと、
前記第２分岐路に設けられ、前記第２分岐路を開閉する第４バルブと、
前記第１貯液部および前記第２貯液部の全体の重量変化を測定する秤とを備える、血液浄化装置。
【請求項２】
上流側から下流側に向けて血液が流れる血液回路に組み込まれた血液浄化器と、
前記血液浄化器より前記血液回路の前記上流側または前記下流側に補液を供給する補液管路と、
前記血液浄化器内に透析液を供給する透析液管路と、
前記血液浄化器から排出された排液を流す排液管路と、
前記透析液管路に接続され、前記補液および前記透析液である、第１液を供給する第１供給源と、
前記補液管路および前記透析液管路に接続され、前記第１液が流れる第１分岐路と、
前記第１分岐路に接続され、前記第１液を一時的に貯液し、貯液した前記第１液を送出可能な第１貯液部と、
前記排液管路に接続され、前記排液が流れる第２分岐路と、
前記第２分岐路に接続され、前記排液を一時的に貯液し、貯液した前記排液を送出可能な第２貯液部と、
前記透析液管路に設けられ、前記透析液管路を流れる前記透析液を送り出す第１ポンプと、
前記補液管路に設けられ、前記補液管路を流れる前記補液を送り出す第２ポンプと、
前記排液管路に設けられ、前記排液管路を流れる前記排液を送り出す第３ポンプと、
前記透析液管路において前記第１分岐路との接続位置より上流側に設けられ、前記透析液管路を開閉する第１バルブと、
前記第１分岐路において、前記補液管路との接続位置と、前記透析液管路との接続位置との間に設けられ、前記第１分岐路を開閉する第２バルブと、
前記排液管路において、前記第２分岐路との接続位置より下流側に設けられ、前記排液管路を開閉する第３バルブと、
前記第２分岐路に設けられ、前記第２分岐路を開閉する第４バルブと、
前記第１貯液部および前記第２貯液部の全体の重量変化を測定する秤とを備える、血液浄化装置。
【請求項３】
上流側から下流側に向けて血液が流れる血液回路に組み込まれた血液浄化器と、
前記血液浄化器より前記血液回路の前記上流側または前記下流側に補液を供給する補液管路と、
前記血液浄化器内に透析液を供給する透析液管路と、
前記血液浄化器から排出された排液を流す排液管路と、
前記補液管路に接続され、前記補液である第１液を供給する第１供給源と、
前記透析液管路に接続され、前記透析液である第２液を供給する第２供給源と、
前記補液管路に接続され、前記第１液が流れる第１分岐路と、
前記第１分岐路に接続され、前記第１液を一時的に貯液し、貯液した前記第１液を送出可能な第１貯液部と、
前記排液管路に接続され、前記排液が流れる第２分岐路と、
前記第２分岐路に接続され、前記排液を一時的に貯液し、貯液した前記排液を送出可能な第２貯液部と、
前記透析液管路に接続され、前記第２液が流れる第３分岐路と、
前記第３分岐路に接続され、前記第２液を一時的に貯液し、貯液した前記第２液を送出可能な第３貯液部と、
前記透析液管路に設けられ、前記透析液管路を流れる前記透析液を送り出す第１ポンプと、
前記補液管路に設けられ、前記補液管路を流れる前記補液を送り出す第２ポンプと、
前記排液管路に設けられ、前記排液管路を流れる前記排液を送り出す第３ポンプと、
前記補液管路において前記第１分岐路との接続位置より上流側に設けられ、前記補液管路を開閉する第１バルブと、
前記第１分岐路に設けられ、前記第１分岐路を開閉する第２バルブと、
前記排液管路において、前記第２分岐路との接続位置より下流側に設けられ、前記排液管路を開閉する第３バルブと、
前記第２分岐路に設けられ、前記第２分岐路を開閉する第４バルブと、
前記透析液管路において前記第３分岐路との接続位置より上流側に設けられ、前記透析液管路を開閉する第５バルブと、
前記第１貯液部、前記第２貯液部および前記第３貯液部の全体の重量変化を測定する秤とを備える、血液浄化装置。
【請求項４】
前記秤が、ロードセルである、請求項１から請求項３のいずれか１項に記載の血液浄化装置。
【発明の詳細な説明】
【技術分野】
【０００１】
本発明は、血液浄化装置に関する。
【背景技術】
【０００２】
血液浄化装置の構成を開示した先行文献として、特開２００１−５４１号公報(特許文献１)、および、特開平１１−２７６５７８号公報(特許文献２)がある。
【０００３】
特許文献１に記載された血液浄化装置は、透析液容器と濾液容器との総重量を測定する重量測定手段、および、重量測定手段で測定された透析液容器と濾液容器との総重量の測定値から血液処理開始時に測定された初期総重量測定値を減じた数値と、設定された除水量に従い処理時間と共に増大する除水目標値とを、比較しながら両者の差が零となるまで濾液ポンプの回転を増減させる制御装置とを備えることにより、除水量の制御精度の改善を図っている。重量測定手段として、透析液容器および補液容器の重量を測定する重量計と、濾液容器の重量を測定する重量計との、２つの重量計を用いている。
【０００４】
特許文献２に記載された血液浄化装置は、それぞれプラスチックの射出成形により製作されて誤差の殆どない、透析液用の計量容器と排液用の計量容器と補液用の計量容器とを備えている。各々の計量容器の上部および下部に設けられたセンサーの前を液面が通過したことを検出することにより、透析液、排液および補液の流量を実測している。得られた実測値と設定値とが合致するように対応するポンプの回転数を調節することにより、ろ液流量および排液流量を正確に維持することを図っている。
【先行技術文献】
【特許文献】
【０００５】
【特許文献１】特開２００１−５４１号公報
【特許文献２】特開平１１−２７６５７８号公報
【発明の概要】
【発明が解決しようとする課題】
【０００６】
特許文献１に記載された血液浄化装置においては、２つの重量計を用いているため、２つの重量計の測定精度の相違により、除水量の制御精度の改善が妨げられる。
【０００７】
特許文献２に記載された血液浄化装置においては、製作誤差の殆どない計量容器を用いなければならず、血液浄化装置を簡易に構成することができない。
【０００８】
本発明は上記の問題点に鑑みてなされたものであって、簡易な構成で除水量を正確に測定できる血液浄化装置を提供することを目的とする。
【課題を解決するための手段】
【０００９】
本発明の第１の局面に基づく血液浄化装置は、上流側から下流側に向けて血液が流れる血液回路に組み込まれた血液浄化器と、血液浄化器より血液回路の上流側または下流側に補液を供給する補液管路と、血液浄化器内に透析液を供給する透析液管路と、血液浄化器から排出された排液を流す排液管路と、補液管路に接続され、補液および透析液である、第１液を供給する第１供給源と、補液管路および透析液管路に接続され、第１液が流れる第１分岐路と、第１分岐路に接続され、第１液を一時的に貯液し、貯液した第１液を送出可能な第１貯液部と、排液管路に接続され、排液が流れる第２分岐路と、第２分岐路に接続され、排液を一時的に貯液し、貯液した排液を送出可能な第２貯液部と、透析液管路に設けられ、透析液管路を流れる透析液を送り出す第１ポンプと、補液管路に設けられ、補液管路を流れる補液を送り出す第２ポンプと、排液管路に設けられ、排液管路を流れる排液を送り出す第３ポンプと、補液管路において第１分岐路との接続位置より上流側に設けられ、補液管路を開閉する第１バルブと、第１分岐路において、補液管路との接続位置と、透析液管路との接続位置との間に設けられ、第１分岐路を開閉する第２バルブと、排液管路において、第２分岐路との接続位置より下流側に設けられ、排液管路を開閉する第３バルブと、第２分岐路に設けられ、第２分岐路を開閉する第４バルブと、第１貯液部および第２貯液部の全体の重量変化を測定する秤とを備える。
【００１０】
本発明の第２の局面に基づく血液浄化装置は、上流側から下流側に向けて血液が流れる血液回路に組み込まれた血液浄化器と、血液浄化器より血液回路の上流側または下流側に補液を供給する補液管路と、血液浄化器内に透析液を供給する透析液管路と、血液浄化器から排出された排液を流す排液管路と、透析液管路に接続され、補液および透析液である、第１液を供給する第１供給源と、補液管路および透析液管路に接続され、第１液が流れる第１分岐路と、第１分岐路に接続され、第１液を一時的に貯液し、貯液した第１液を送出可能な第１貯液部と、排液管路に接続され、排液が流れる第２分岐路と、第２分岐路に接続され、排液を一時的に貯液し、貯液した排液を送出可能な第２貯液部と、透析液管路に設けられ、透析液管路を流れる透析液を送り出す第１ポンプと、補液管路に設けられ、補液管路を流れる補液を送り出す第２ポンプと、排液管路に設けられ、排液管路を流れる排液を送り出す第３ポンプと、透析液管路において第１分岐路との接続位置より上流側に設けられ、透析液管路を開閉する第１バルブと、第１分岐路において、補液管路との接続位置と、透析液管路との接続位置との間に設けられ、第１分岐路を開閉する第２バルブと、排液管路において、第２分岐路との接続位置より下流側に設けられ、排液管路を開閉する第３バルブと、第２分岐路に設けられ、第２分岐路を開閉する第４バルブと、第１貯液部および第２貯液部の全体の重量変化を測定する秤とを備える。
【００１１】
本発明の第３の局面に基づく血液浄化装置は、上流側から下流側に向けて血液が流れる血液回路に組み込まれた血液浄化器と、血液浄化器より血液回路の上流側または下流側に補液を供給する補液管路と、血液浄化器内に透析液を供給する透析液管路と、血液浄化器から排出された排液を流す排液管路と、補液管路に接続され、補液である第１液を供給する第１供給源と、透析液管路に接続され、透析液である第２液を供給する第２供給源と、補液管路に接続され、第１液が流れる第１分岐路と、第１分岐路に接続され、第１液を一時的に貯液し、貯液した第１液を送出可能な第１貯液部と、排液管路に接続され、排液が流れる第２分岐路と、第２分岐路に接続され、排液を一時的に貯液し、貯液した排液を送出可能な第２貯液部と、透析液管路に接続され、第２液が流れる第３分岐路と、第３分岐路に接続され、第２液を一時的に貯液し、貯液した第２液を送出可能な第３貯液部と、透析液管路に設けられ、透析液管路を流れる透析液を送り出す第１ポンプと、補液管路に設けられ、補液管路を流れる補液を送り出す第２ポンプと、排液管路に設けられ、排液管路を流れる排液を送り出す第３ポンプと、補液管路において第１分岐路との接続位置より上流側に設けられ、補液管路を開閉する第１バルブと、第１分岐路に設けられ、第１分岐路を開閉する第２バルブと、排液管路において、第２分岐路との接続位置より下流側に設けられ、排液管路を開閉する第３バルブと、第２分岐路に設けられ、第２分岐路を開閉する第４バルブと、透析液管路において第３分岐路との接続位置より上流側に設けられ、透析液管路を開閉する第５バルブと、第１貯液部、第２貯液部および第３貯液部の全体の重量変化を測定する秤とを備える。
【００１２】
本発明の一形態においては、秤が、ロードセルである。
【発明の効果】
【００１３】
本発明によれば、簡易な構成で除水量を正確に測定できる。
【図面の簡単な説明】
【００１４】
【図１】本発明の実施形態１に係る血液浄化装置の構成を示す回路図である。
【図２】本発明の実施形態１に係る血液浄化装置において、第４バルブを閉じて、第１バルブ、第２バルブおよび第３バルブを開いた状態を示す回路図である。
【図３】本発明の実施形態１に係る血液浄化装置において、第２バルブおよび第４バルブを閉じて、第１バルブおよび第３バルブを開いた状態を示す回路図である。
【図４】本発明の実施形態１に係る血液浄化装置において、第１バルブおよび第４バルブを閉じて、第２バルブおよび第３バルブを開いた状態を示す回路図である。
【図５】本発明の実施形態１に係る血液浄化装置において、第１バルブおよび第３バルブを閉じて、第２バルブおよび第４バルブを開いた状態を示す回路図である。
【図６】本発明の実施形態１に係る血液浄化装置において、第１バルブを閉じて、第２バルブ、第３バルブおよび第４バルブを開いた状態を示す回路図である。
【図７】本発明の実施形態１に係る血液浄化装置において、除水速度を測定するための工程を示すフローチャートである。
【図８】本発明の実施形態１の変形例に係る血液浄化装置の構成を示す回路図である。
【図９】本発明の実施形態１の変形例に係る血液浄化装置において、第４バルブを閉じて、第１バルブ、第２バルブおよび第３バルブを開いた状態を示す回路図である。
【図１０】本発明の実施形態１の変形例に係る血液浄化装置において、第２バルブおよび第４バルブを閉じて、第１バルブおよび第３バルブを開いた状態を示す回路図である。
【図１１】本発明の実施形態１の変形例に係る血液浄化装置において、第１バルブおよび第４バルブを閉じて、第２バルブおよび第３バルブを開いた状態を示す回路図である。
【図１２】本発明の実施形態１の変形例に係る血液浄化装置において、第１バルブおよび第３バルブを閉じて、第２バルブおよび第４バルブを開いた状態を示す回路図である。
【図１３】本発明の実施形態１の変形例に係る血液浄化装置において、第１バルブを閉じて、第２バルブ、第３バルブおよび第４バルブを開いた状態を示す回路図である。
【図１４】本発明の実施形態２に係る血液浄化装置の構成を示す回路図である。
【図１５】本発明の実施形態２に係る血液浄化装置において、第４バルブを閉じて、第１バルブ、第２バルブ、第３バルブおよび第５バルブを開いた状態を示す回路図である。
【図１６】本発明の実施形態２に係る血液浄化装置において、第２バルブ、第４バルブおよび第５バルブを閉じて、第１バルブおよび第３バルブを開いた状態を示す回路図である。
【図１７】本発明の実施形態２に係る血液浄化装置において、第１バルブ、第４バルブおよび第５バルブを閉じて、第２バルブおよび第３バルブを開いた状態を示す回路図である。
【図１８】本発明の実施形態２に係る血液浄化装置において、第１バルブ、第３バルブおよび第５バルブを閉じて、第２バルブおよび第４バルブを開いた状態を示す回路図である。
【図１９】本発明の実施形態２に係る血液浄化装置において、第１バルブおよび第５バルブを閉じて、第２バルブ、第３バルブおよび第４バルブを開いた状態を示す回路図である。
【図２０】本発明の実施形態２に係る血液浄化装置の運転サイクルを示すフローチャートである。
【発明を実施するための形態】
【００１５】
以下、本発明の各実施形態に係る血液浄化装置について図面を参照して説明する。以下の実施形態の説明においては、図中の同一または相当部分には同一符号を付して、その説明は繰り返さない。以下の実施形態の説明においては、血液浄化装置として、持続緩徐式血液浄化療法(Continuous Renal Replacement Therapy：ＣＲＲＴ)に用いられる血液浄化装置について説明する。ただし、血液浄化装置は、持続的血液濾過透析法(continuous hemodiafiltration：ＣＨＤＦ)、持続的血液ろ過法(continuous hemofiltration：ＣＨＦ)、および、持続的血液透析法(continuous hemodialysis：ＣＨＤ)のいずれかに用いられる血液浄化装置であってもよい。
【００１６】
(実施形態１)
図１は、本発明の実施形態１に係る血液浄化装置の構成を示す回路図である。図１に示すように、本発明の実施形態１に係る血液浄化装置１００は、血液浄化器１２０と、補液管路１３１と、透析液管路１４１と、排液管路１５１と、第１供給源１３０と、第１分岐路１４２と、第１貯液部１４０と、第２分岐路１５２と、第２貯液部１５０と、第１ポンプ１６０と、第２ポンプ１６１と、第３ポンプ１６２と、第１バルブ１３１ｖと、第２バルブ１４２ｖと、第３バルブ１５１ｖと、第４バルブ１５２ｖと、秤１３９とを備える。
【００１７】
血液浄化器１２０は、たとえば中空糸膜からなる半透膜を内部に含んでいる。血液浄化器１２０は、血液入口１２１および血液出口１２２を有している。血液入口１２１には、上流側血液管路１１０が接続されている。血液出口１２２には、下流側血液管路１１６が接続されている。
【００１８】
上流側血液管路１１０には、血液を送り出す血液ポンプ１１１が設けられている。上流側血液管路１１０の途中には、動脈側ドリップチャンバ１１２が設けられている。動脈側ドリップチャンバ１１２には、血液の圧力を測定する上流側圧力測定装置１１３が設けられている。患者の動脈から採取された血液は、上流側血液管路１１０を流れる途中で動脈側ドリップチャンバ１１２を通過する際に圧力を測定された後、血液入口１２１から血液浄化器１２０内に流入する。
【００１９】
下流側血液管路１１６の途中には、静脈側ドリップチャンバ１１４が設けられている。静脈側ドリップチャンバ１１４には、血液の圧力を測定する下流側圧力測定装置１１５が設けられている。血液浄化器１２０によって浄化された血液は、下流側血液管路１１６を流れる途中で静脈側ドリップチャンバ１１４を通過する際に圧力を測定された後、患者の静脈に返される。このように、血液浄化器１２０は、血液回路に組み込まれている。血液回路の上流側から下流側に向けて血液が流れる。静脈側ドリップチャンバ１１４は、補液管路１３１と接続されている。なお、補液管路１３１が、静脈側ドリップチャンバ１１４の代わりに動脈側ドリップチャンバ１１２に接続されていてもよい。
【００２０】
血液浄化器１２０は、透析液入口１２４および排液出口１２３をさらに有している。透析液入口１２４には、透析液管路１４１が接続されている。排液出口１２３には、排液管路１５１が接続されている。
【００２１】
補液管路１３１の上流端は、補液および透析液である、第１液１０を供給する第１供給源１３０と接続されている。補液管路１３１には、補液を設定流量Ｑｓで送り出す第２ポンプ１６１が接続されている。第２ポンプ１６１は、ベリスタルティック式ポンプであるが、ローラ式ポンプであってもよい。補液管路１３１には、第１液１０が流れる第１分岐路１４２が接続されている。補液管路１３１において第１分岐路１４２との接続位置より上流側に、補液管路１３１を開閉する第１バルブ１３１ｖが設けられている。補液管路１３１において第２ポンプ１６１より下流側に、補液を加熱する第２ヒータ１７１が設けられている。なお、第２ヒータ１７１は設けられていなくてもよい。
【００２２】
補液管路１３１を流れた補液は、静脈側ドリップチャンバ１１４内に供給される。すなわち、補液管路１３１は、血液浄化器１２０より血液回路の下流側に補液を供給する。補液管路１３１が動脈側ドリップチャンバ１１２に接続されている場合には、補液管路１３１は、血液浄化器１２０より血液回路の上流側に補液を供給する。
【００２３】
透析液管路１４１の上流端は、第１分岐路１４２に接続されている。透析液管路１４１には、透析液を設定流量Ｑｄで送り出す第１ポンプ１６０が接続されている。第１ポンプ１６０は、ベリスタルティック式ポンプであるが、ローラ式ポンプであってもよい。透析液管路１４１を流れた透析液は、血液浄化器１２０内に供給される。透析液管路１４１において第１ポンプ１６０より下流側に、透析液を加熱する第１ヒータ１７０が設けられている。なお、第１ヒータ１７０は設けられていなくてもよい。
【００２４】
第１分岐路１４２は、第１液１０を一時的に貯液し、貯液した第１液１０を送出可能な第１貯液部１４０と接続されている。第１分岐路１４２において、補液管路１３１との接続位置と、透析液管路１４１との接続位置との間に、第１分岐路１４２を開閉する第２バルブ１４２ｖが設けられている。
【００２５】
排液管路１５１の下流端から、血液浄化器１２０から排出された排液が排出される。排液管路１５１には、排液管路１５１を流れる排液を設定流量Ｑｕで送り出す第３ポンプ１６２が接続されている。第３ポンプ１６２は、ベリスタルティック式ポンプであるが、ローラ式ポンプであってもよい。
【００２６】
排液管路１５１には、排液が流れる第２分岐路１５２が接続されている。排液管路１５１において、第２分岐路１５２との接続位置より下流側に、排液管路１５１を開閉する第３バルブ１５１ｖが設けられている。
【００２７】
第２分岐路１５２は、排液を一時的に貯液し、貯液した排液を送出可能な第２貯液部１５０と接続されている。第２分岐路１５２には、第２分岐路１５２を開閉する第４バルブ１５２ｖが設けられている。
【００２８】
第１貯液部１４０および第２貯液部１５０は、収容部１８０に収容されている。収容部１８０は、秤１３９の測定部に接続されている。本実施形態においては、秤１３９はロードセルである。ただし、秤１３９は、ロードセルに限られず、ばねばかりなどであってもよい。秤１３９は、第１貯液部１４０および第２貯液部１５０の全体の重量変化を測定する。
【００２９】
第１貯液部１４０および第２貯液部１５０の各々は、袋状であってもよいし、硬質容器であってもよい。第１貯液部１４０および第２貯液部１５０の各々が硬質容器である場合、硬質容器には通気孔が設けられている。また、第１貯液部１４０および第２貯液部１５０の各々が、変形可能なベローズ状の軟質容器であってもよい。
【００３０】
以下、本実施形態に係る血液浄化装置１００において、除水速度を測定するための動作について説明する。
【００３１】
図２は、本発明の実施形態１に係る血液浄化装置において、第４バルブを閉じて、第１バルブ、第２バルブおよび第３バルブを開いた状態を示す回路図である。図３は、本発明の実施形態１に係る血液浄化装置において、第２バルブおよび第４バルブを閉じて、第１バルブおよび第３バルブを開いた状態を示す回路図である。図４は、本発明の実施形態１に係る血液浄化装置において、第１バルブおよび第４バルブを閉じて、第２バルブおよび第３バルブを開いた状態を示す回路図である。図５は、本発明の実施形態１に係る血液浄化装置において、第１バルブおよび第３バルブを閉じて、第２バルブおよび第４バルブを開いた状態を示す回路図である。図６は、本発明の実施形態１に係る血液浄化装置において、第１バルブを閉じて、第２バルブ、第３バルブおよび第４バルブを開いた状態を示す回路図である。図７は、本発明の実施形態１に係る血液浄化装置において、除水速度を測定するための工程を示すフローチャートである。
【００３２】
まず、図７に示すように、透析液供給速度、補液供給速度、血液浄化器１２０における濾過速度および除水速度を設定する(Ｓ１)。次に、設定された、透析液供給速度、補液供給速度、濾過速度および除水速度の各々を満たすように、第１ポンプ１６０の流量Ｑｄ、第２ポンプ１６１の流量Ｑｓおよび第３ポンプ１６２の流量Ｑｕの各々を設定する。
【００３３】
次に、図２に示すように、第４バルブ１５２ｖを閉じた状態にし、第１バルブ１３１ｖ、第２バルブ１４２ｖおよび第３バルブ１５１ｖを開いた状態で、血液ポンプ１１１、第１ポンプ１６０、第２ポンプ１６１および第３ポンプ１６２を稼働させる。これにより、第１供給源１３０から供給された第１液１０が、補液管路１３１から静脈側ドリップチャンバ１１４内に流量Ｑｓで補液として供給されるとともに、第１分岐路１４２にも第１液１０が流入する。補液は、第２ヒータ１７１によって所定の温度に加熱された状態になっている。
【００３４】
第１分岐路１４２に流入した第１液１０の一部は、第１供給源１３０と第１貯液部１４０との配置の高低差による圧力によって、第１貯液部１４０内に流入して貯液される。第１分岐路１４２に流入した第１液１０の残部は、透析液管路１４１に流入する。透析液管路１４１に流入した第１液１０は、透析液管路１４１から血液浄化器１２０内に流量Ｑｄで透析液として供給される。透析液は、第１ヒータ１７０によって所定の温度に加熱された状態になっている。血液浄化器１２０から排出された排液は、排液管路１５１を流量Ｑｕで流れて外部に排出される。
【００３５】
たとえば、第１貯液部１４０内の約８０％が第１液１０で満たされる予測時間になるまで、第１貯液部１４０内に第１液１０を流入させる。よって、第１貯液部１４０は、容量が正確であるように精密に作製されている必要はない。
【００３６】
次に、図３に示すように、第２バルブ１４２ｖおよび第４バルブ１５２ｖを閉じて、第１バルブ１３１ｖおよび第３バルブ１５１ｖを開いた状態にする。血液ポンプ１１１、第１ポンプ１６０、第２ポンプ１６１および第３ポンプ１６２が引き続き稼働することにより、補液管路１３１から第１分岐路１４２への第１液１０の流入が停止し、第１貯液部１４０に貯液されていた第１液１０が、第１分岐路１４２に送り出され、さらに透析液管路１４１に流量Ｑｄで流入する。このときの収容部１８０の重量変化を秤１３９によって測定することにより、Ｑｄを実測することができる。この工程により、図７に示すように、透析液供給速度が測定される(Ｓ２)。この工程の後、第２バルブ１４２ｖを開いて、第１貯液部１４０の第１液１０の貯液量を回復しておいてもよい。
【００３７】
次に、図４に示すように、第１バルブ１３１ｖおよび第４バルブ１５２ｖを閉じて、第２バルブ１４２ｖおよび第３バルブ１５１ｖを開いた状態にする。血液ポンプ１１１、第１ポンプ１６０、第２ポンプ１６１および第３ポンプ１６２が引き続き稼働することにより、第１供給源１３０から補液管路１３１への第１液１０の流入が停止し、第１貯液部１４０に貯液されていた第１液１０が、第１分岐路１４２に送り出される。第１分岐路１４２に送り出された第１液１０は、補液管路１３１に流量Ｑｓで流入するとともに、透析液管路１４１に流量Ｑｄで流入する。このときの収容部１８０の重量変化を秤１３９によって測定することにより、(Ｑｄ＋Ｑｓ)を実測することができる。先の工程で得られたＱｄの実測値を(Ｑｄ＋Ｑｓ)の実測値から減算することにより、実際の流量Ｑｓを算出することができる。この工程により、図７に示すように、補液供給速度が測定される(Ｓ３)。この工程の後、第１バルブ１３１ｖおよび第２バルブ１４２ｖを開いて、第１貯液部１４０の第１液１０の貯液量を回復しておいてもよい。
【００３８】
次に、図５に示すように、第１バルブ１３１ｖおよび第３バルブ１５１ｖを閉じて、第２バルブ１４２ｖおよび第４バルブ１５２ｖを開いた状態にする。血液ポンプ１１１、第１ポンプ１６０、第２ポンプ１６１および第３ポンプ１６２が引き続き稼働することにより、排液管路１５１の下流端からの排液の排出が停止し、第２分岐路１５２に排液２０が流入する。第２分岐路１５２に流入した排液２０は、流量Ｑｕで第２貯液部１５０内に流入して貯液される。
【００３９】
このときの収容部１８０の重量変化を秤１３９によって測定することにより、Ｑｕ−(Ｑｄ＋Ｑｓ)を実測することができる。Ｑｕ−(Ｑｄ＋Ｑｓ)は、除水速度である。先の工程において、実際の流量Ｑｄおよび実際の流量Ｑｓが算出されているため、Ｑｕ−(Ｑｄ＋Ｑｓ)の実測値に、Ｑｄの実測値とＱｓの実測値とを加算することにより、流量Ｑｕを算出することができる。Ｑｕは、濾過速度である。この工程により、図７に示すように、濾過速度および除水速度が測定される(Ｓ４)。
【００４０】
たとえば、第２貯液部１５０内の約８０％が排液２０で満たされる予測時間になるまで、第２貯液部１５０内に排液２０を流入させる。よって、第２貯液部１５０は、容量が正確であるように精密に作製されている必要はない。血液浄化装置１００の稼働時間と実際の除水速度との積から除水量を正確に測定できる。
【００４１】
次に、図６に示すように、第１バルブ１３１ｖを閉じて、第２バルブ１４２ｖ、第３バルブ１５１ｖおよび第４バルブ１５２ｖを開いた状態にする。血液ポンプ１１１、第１ポンプ１６０、第２ポンプ１６１および第３ポンプ１６２が引き続き稼働することにより、第２貯液部１５０に貯液されていた排液２０を第２分岐路１５２に送り出される。第２分岐路１５２に送り出された排液２０は、排液管路１５１に流入し、排液管路１５１の下流端から外部に排出される。
【００４２】
第２貯液部１５０から排液２０を送り出す方法としては、重力によって排液２０を自由落下させる、第２貯液部１５０の内部をエアポンプなどにより加圧する、または、加圧装置などにより第２貯液部１５０の外部から第２貯液部１５０に圧力をかけて第２貯液部１５０を押し潰すなどの方法を採用できる。
【００４３】
第２貯液部１５０内の排液２０が全て排出された後、第４バルブ１５２ｖを閉じて、第１バルブ１３１ｖ、第２バルブ１４２ｖおよび第３バルブ１５１ｖを開いた状態にする。これにより、図２に示す状態に戻る。
【００４４】
図７に示すように、上記の工程Ｓ２〜Ｓ４によって得られた、透析供給速度、補液供給速度、濾過速度および除水速度の測定結果に基づいて、各々の速度を再設定する(Ｓ５)。
【００４５】
上記の工程Ｓ２により測定された実際の透析液供給速度と、工程Ｓ１により設定された透析液供給速度との間に差がある場合には、第１ポンプ１６０の出力を調整する。具体的には、実際の流量Ｑｄが設定流量Ｑｄより大きい場合には、第１ポンプ１６０の出力を低くする。実際の流量Ｑｄが設定流量Ｑｄより小さい場合には、第１ポンプ１６０の出力を高くする。
【００４６】
上記の工程Ｓ３により測定された実際の補液供給速度と、工程Ｓ１により設定された補液供給速度との間に差がある場合には、第２ポンプ１６１の出力を調整する。具体的には、実際の流量Ｑｓが設定流量Ｑｓより大きい場合には、第２ポンプ１６１の出力を低くする。実際の流量Ｑｓが設定流量Ｑｓより小さい場合には、第２ポンプ１６１の出力を高くする。
【００４７】
上記の工程Ｓ４により測定された実際の濾過速度と、工程Ｓ１により設定された濾過速度との間に差がある場合には、第３ポンプ１６２の出力を調整する。具体的には、実際の流量Ｑｕが設定流量Ｑｕより大きい場合には、第３ポンプ１６２の出力を低くする。実際の流量Ｑｕが設定流量Ｑｕより小さい場合には、第３ポンプ１６２の出力を高くする。
【００４８】
上記のように、流量Ｑｄ、流量Ｑｓおよび流量Ｑｕの各々の実測値を設定値に近づけるように調整することにより、除水速度であるＱｕ−(Ｑｄ＋Ｑｓ)の実測値を設定値に近づけることができる。上記の一連の動作を一定間隔毎に繰り返し行なうことにより、除水量を正確に維持することができる。上記のようなフィードバック制御を行なう制御部を、血液浄化装置１００が備えていることが好ましい。
【００４９】
本実施形態に係る血液浄化装置１００は、収容部１８０の重量変化を秤１３９で測定するのみで除水量を正確に測定できるため、構成が簡易である。また、第１ポンプ１６０、第２ポンプ１６１および第３ポンプ１６２を継続して稼働させた状態で、第１ポンプ１６０、第２ポンプ１６１および第３ポンプ１６２の各々の送出流量を測定することができる。
【００５０】
本実施形態においては、第１供給源１３０が補液管路１３１に接続されていたが、第１供給源１３０が透析液管路１４１に接続されていてもよい。以下、第１供給源１３０が透析液管路１４１に接続されている、本発明の実施形態１の変形例に係る血液浄化装置について説明する。なお、本発明の実施形態１に係る血液浄化装置１００と同様である構成については説明を繰り返さない。
【００５１】
図８は、本発明の実施形態１の変形例に係る血液浄化装置の構成を示す回路図である。図８に示すように、本実施形態の変形例に係る血液浄化装置１００ａにおいては、透析液管路１４１の上流端は、補液および透析液である、第１液１０を供給する第１供給源１３０と接続されている。透析液管路１４１には、第１液１０が流れる第１分岐路１４２が接続されている。透析液管路１４１において第１分岐路１４２との接続位置より上流側に、透析液管路１４１を開閉する第１バルブ１３１ｖが設けられている。補液管路１３１の上流端は、第１分岐路１４２に接続されている。
【００５２】
以下、本実施形態の変形例に係る血液浄化装置１００ａにおいて、除水速度を測定するための動作について説明する。
【００５３】
図９は、本発明の実施形態１の変形例に係る血液浄化装置において、第４バルブを閉じて、第１バルブ、第２バルブおよび第３バルブを開いた状態を示す回路図である。図１０は、本発明の実施形態１の変形例に係る血液浄化装置において、第２バルブおよび第４バルブを閉じて、第１バルブおよび第３バルブを開いた状態を示す回路図である。図１１は、本発明の実施形態１の変形例に係る血液浄化装置において、第１バルブおよび第４バルブを閉じて、第２バルブおよび第３バルブを開いた状態を示す回路図である。図１２は、本発明の実施形態１の変形例に係る血液浄化装置において、第１バルブおよび第３バルブを閉じて、第２バルブおよび第４バルブを開いた状態を示す回路図である。図１３は、本発明の実施形態１の変形例に係る血液浄化装置において、第１バルブを閉じて、第２バルブ、第３バルブおよび第４バルブを開いた状態を示す回路図である。
【００５４】
まず、透析液供給速度、補液供給速度、血液浄化器１２０における濾過速度および除水速度を設定する。次に、設定された、透析液供給速度、補液供給速度、濾過速度および除水速度の各々を満たすように、第１ポンプ１６０の流量Ｑｄ、第２ポンプ１６１の流量Ｑｓおよび第３ポンプ１６２の流量Ｑｕの各々を設定する。
【００５５】
次に、図９に示すように、第４バルブ１５２ｖを閉じた状態にし、第１バルブ１３１ｖ、第２バルブ１４２ｖおよび第３バルブ１５１ｖを開いた状態で、血液ポンプ１１１、第１ポンプ１６０、第２ポンプ１６１および第３ポンプ１６２を稼働させる。これにより、第１供給源１３０から供給された第１液１０が、透析液管路１４１から血液浄化器１２０内に流量Ｑｄで透析液として供給されるとともに、第１分岐路１４２にも第１液１０が流入する。透析液は、第１ヒータ１７０によって所定の温度に加熱された状態になっている。血液浄化器１２０から排出された排液は、排液管路１５１を流量Ｑｕで流れて外部に排出される。
【００５６】
第１分岐路１４２に流入した第１液１０の一部は、第１供給源１３０と第１貯液部１４０との配置の高低差による圧力によって、第１貯液部１４０内に流入して貯液される。第１分岐路１４２に流入した第１液１０の残部は、補液管路１３１に流入する。補液管路１３１に流入した第１液１０は、補液管路１３１から静脈側ドリップチャンバ１１４内に流量Ｑｓで補液として供給される。補液は、第２ヒータ１７１によって所定の温度に加熱された状態になっている。
【００５７】
次に、図１０に示すように、第２バルブ１４２ｖおよび第４バルブ１５２ｖを閉じて、第１バルブ１３１ｖおよび第３バルブ１５１ｖを開いた状態にする。血液ポンプ１１１、第１ポンプ１６０、第２ポンプ１６１および第３ポンプ１６２が引き続き稼働することにより、透析液管路１４１から第１分岐路１４２への第１液１０の流入が停止し、第１貯液部１４０に貯液されていた第１液１０が、第１分岐路１４２に送り出され、さらに補液管路１３１に流量Ｑｓで流入する。このときの収容部１８０の重量変化を秤１３９によって測定することにより、Ｑｓを実測することができる。この工程により、補液供給速度が測定される。この工程の後、第２バルブ１４２ｖを開いて、第１貯液部１４０の第１液１０の貯液量を回復しておいてもよい。
【００５８】
次に、図１１に示すように、第１バルブ１３１ｖおよび第４バルブ１５２ｖを閉じて、第２バルブ１４２ｖおよび第３バルブ１５１ｖを開いた状態にする。血液ポンプ１１１、第１ポンプ１６０、第２ポンプ１６１および第３ポンプ１６２が引き続き稼働することにより、第１供給源１３０から透析液管路１４１への第１液１０の流入が停止し、第１貯液部１４０に貯液されていた第１液１０が、第１分岐路１４２に送り出される。第１分岐路１４２に送り出された第１液１０は、補液管路１３１に流量Ｑｓで流入するとともに、透析液管路１４１に流量Ｑｄで流入する。このときの収容部１８０の重量変化を秤１３９によって測定することにより、(Ｑｄ＋Ｑｓ)を実測することができる。先の工程で得られたＱｓの実測値を(Ｑｄ＋Ｑｓ)の実測値から減算することにより、実際の流量Ｑｄを算出することができる。この工程により、透析液供給速度が測定される。この工程の後、第１バルブ１３１ｖおよび第２バルブ１４２ｖを開いて、第１貯液部１４０の第１液１０の貯液量を回復しておいてもよい。
【００５９】
次に、図１２に示すように、第１バルブ１３１ｖおよび第３バルブ１５１ｖを閉じて、第２バルブ１４２ｖおよび第４バルブ１５２ｖを開いた状態にする。血液ポンプ１１１、第１ポンプ１６０、第２ポンプ１６１および第３ポンプ１６２が引き続き稼働することにより、排液管路１５１の下流端からの排液の排出が停止し、第２分岐路１５２に排液２０が流入する。第２分岐路１５２に流入した排液２０は、流量Ｑｕで第２貯液部１５０内に流入して貯液される。
【００６０】
このときの収容部１８０の重量変化を秤１３９によって測定することにより、Ｑｕ−(Ｑｄ＋Ｑｓ)を実測することができる。Ｑｕ−(Ｑｄ＋Ｑｓ)は、除水速度である。先の工程において、実際の流量Ｑｄおよび実際の流量Ｑｓが算出されているため、Ｑｕ−(Ｑｄ＋Ｑｓ)の実測値に、Ｑｄの実測値とＱｓの実測値とを加算することにより、流量Ｑｕを算出することができる。Ｑｕは、濾過速度である。この工程により、濾過速度および除水速度が測定される。
【００６１】
次に、図１３に示すように、第１バルブ１３１ｖを閉じて、第２バルブ１４２ｖ、第３バルブ１５１ｖおよび第４バルブ１５２ｖを開いた状態にする。血液ポンプ１１１、第１ポンプ１６０、第２ポンプ１６１および第３ポンプ１６２が引き続き稼働することにより、第２貯液部１５０に貯液されていた排液２０を第２分岐路１５２に送り出される。第２分岐路１５２に送り出された排液２０は、排液管路１５１に流入し、排液管路１５１の下流端から外部に排出される。
【００６２】
第２貯液部１５０内の排液２０が全て排出された後、第４バルブ１５２ｖを閉じて、第１バルブ１３１ｖ、第２バルブ１４２ｖおよび第３バルブ１５１ｖを開いた状態にする。これにより、図９に示す状態に戻る。
【００６３】
上記の工程によって得られた、透析供給速度、補液供給速度、濾過速度および除水速度の測定結果に基づいて、各々の速度を再設定する。
【００６４】
本実施形態の変形例に係る血液浄化装置１００ａにおいても、収容部１８０の重量変化を秤１３９で測定するのみで除水量を正確に測定できるため、構成が簡易である。また、第１ポンプ１６０、第２ポンプ１６１および第３ポンプ１６２を継続して稼働させた状態で、第１ポンプ１６０、第２ポンプ１６１および第３ポンプ１６２の各々の送出流量を測定することができる。
【００６５】
(実施形態２)
以下、本発明の実施形態２に係る血液浄化装置について図面を参照して説明する。なお、本発明の実施形態２に係る血液浄化装置は、透析液となる第２液を補液となる第１液とは別途用いる点が主に、本発明の実施形態１に係る血液浄化装置１００と異なるため、本発明の実施形態１に係る血液浄化装置１００と同様の構成については説明を繰り返さない。
【００６６】
図１４は、本発明の実施形態２に係る血液浄化装置の構成を示す回路図である。図１４に示すように、本発明の実施形態２に係る血液浄化装置２００は、血液浄化器１２０と、補液管路１３１と、透析液管路１４１と、排液管路１５１と、第１供給源１３０と、第２供給源２３０と、第１分岐路１４２と、第１貯液部１４０と、第２分岐路１５２と、第２貯液部１５０と、第３分岐路２４２と、第３貯液部２４０と、第１ポンプ１６０と、第２ポンプ１６１と、第３ポンプ１６２と、第１バルブ１３１ｖと、第２バルブ１４２ｖと、第３バルブ１５１ｖと、第４バルブ１５２ｖと、第５バルブ１４１ｖと、秤１３９とを備える。
【００６７】
なお、血液浄化装置２００がＣＨＤに用いられる場合、血液浄化装置２００は、補液管路１３１、第１供給源１３０、第２ポンプ１６１、第１分岐路１４２、第１貯液部１４０および第１バルブ１３１ｖを含まない。血液浄化装置２００がＣＨＦに用いられる場合、血液浄化装置２００は、透析液管路１４１、第２供給源２３０、第１ポンプ１６０、第３分岐路２４２、第３貯液部２４０および第５バルブ１４１ｖを含まない。
【００６８】
本実施形態においては、第１液１０は、補液である。透析液管路１４１の上流端は、透析液である第２液３０を供給する第２供給源２３０と接続されている。透析液管路１４１には、第２液３０が流れる第３分岐路２４２が接続されている。透析液管路１４１において第３分岐路２４２との接続位置より上流側に、透析液管路１４１を開閉する第５バルブ１４１ｖが設けられている。
【００６９】
第３分岐路２４２は、第２液３０を一時的に貯液し、貯液した第２液３０を送出可能な第３貯液部２４０と接続されている。第１貯液部１４０、第２貯液部１５０および第３貯液部２４０は、収容部１８０に収容されている。秤１３９は、第１貯液部１４０、第２貯液部１５０および第３貯液部２４０の全体の重量変化を測定する。
【００７０】
第３貯液部２４０は、袋状であってもよいし、硬質容器であってもよい。第３貯液部２４０が硬質容器である場合、硬質容器には通気孔が設けられている。また、第３貯液部２４０が、変形可能なベローズ状の軟質容器であってもよい。
【００７１】
以下、本実施形態に係る血液浄化装置２００において、除水速度を測定するための動作について説明する。
【００７２】
図１５は、本発明の実施形態２に係る血液浄化装置において、第４バルブを閉じて、第１バルブ、第２バルブ、第３バルブおよび第５バルブを開いた状態を示す回路図である。図１６は、本発明の実施形態２に係る血液浄化装置において、第２バルブ、第４バルブおよび第５バルブを閉じて、第１バルブおよび第３バルブを開いた状態を示す回路図である。図１７は、本発明の実施形態２に係る血液浄化装置において、第１バルブ、第４バルブおよび第５バルブを閉じて、第２バルブおよび第３バルブを開いた状態を示す回路図である。図１８は、本発明の実施形態２に係る血液浄化装置において、第１バルブ、第３バルブおよび第５バルブを閉じて、第２バルブおよび第４バルブを開いた状態を示す回路図である。図１９は、本発明の実施形態２に係る血液浄化装置において、第１バルブおよび第５バルブを閉じて、第２バルブ、第３バルブおよび第４バルブを開いた状態を示す回路図である。
【００７３】
まず、図７に示すように、透析液供給速度、補液供給速度、血液浄化器１２０における濾過速度および除水速度を設定する(Ｓ１)。次に、設定された、透析液供給速度、補液供給速度、濾過速度および除水速度の各々を満たすように、第１ポンプ１６０の流量Ｑｄ、第２ポンプ１６１の流量Ｑｓおよび第３ポンプ１６２の流量Ｑｕの各々を設定する。
【００７４】
次に、図１５に示すように、第４バルブ１５２ｖを閉じた状態にし、第１バルブ１３１ｖ、第２バルブ１４２ｖ、第３バルブ１５１ｖおよび第５バルブ１４１ｖを開いた状態で、血液ポンプ１１１、第１ポンプ１６０、第２ポンプ１６１および第３ポンプ１６２を稼働させる。これにより、第１供給源１３０から供給された第１液１０が、補液管路１３１から静脈側ドリップチャンバ１１４内に流量Ｑｓで補液として供給されるとともに、第１分岐路１４２にも第１液１０が流入する。補液は、第２ヒータ１７１によって所定の温度に加熱された状態になっている。第１分岐路１４２に流入した第１液１０は、第１供給源１３０と第１貯液部１４０との配置の高低差による圧力によって、第１貯液部１４０内に流入して貯液される。
【００７５】
第２供給源２３０から供給された第２液３０は、透析液管路１４１から血液浄化器１２０内に流量Ｑｄで透析液として供給されるとともに、第３分岐路２４２にも第２液３０が流入する。透析液は、第１ヒータ１７０によって所定の温度に加熱された状態になっている。第３分岐路２４２に流入した第２液３０は、第２供給源２３０と第３貯液部２４０との配置の高低差による圧力によって、第３貯液部２４０内に流入して貯液される。血液浄化器１２０から排出された排液は、排液管路１５１を流量Ｑｕで流れて外部に排出される。
【００７６】
たとえば、第１貯液部１４０内の約８０％が第１液１０で満たされる予測時間になるまで、第１貯液部１４０内に第１液１０を流入させる。よって、第１貯液部１４０は、容量が正確であるように精密に作製されている必要はない。同様に、第３貯液部２４０内の約８０％が第２液３０で満たされる予測時間になるまで、第３貯液部２４０内に第２液３０を流入させる。よって、第３貯液部２４０は、容量が正確であるように精密に作製されている必要はない。
【００７７】
次に、図１６に示すように、第２バルブ１４２ｖ、第４バルブ１５２ｖおよび第５バルブ１４１ｖを閉じて、第１バルブ１３１ｖおよび第３バルブ１５１ｖを開いた状態にする。血液ポンプ１１１、第１ポンプ１６０、第２ポンプ１６１および第３ポンプ１６２が引き続き稼働することにより、第２供給源２３０から透析液管路１４１への第２液３０の流入が停止し、第３貯液部２４０に貯液されていた第２液３０が、第３分岐路２４２に送り出され、さらに透析液管路１４１に流量Ｑｄで流入する。このときの収容部１８０の重量変化を秤１３９によって測定することにより、Ｑｄを実測することができる。この工程により、図７に示すように、透析液供給速度が測定される(Ｓ２)。この工程の後、第５バルブ１４１ｖを開いて、第３貯液部２４０の第２液３０の貯液量を回復しておいてもよい。
【００７８】
次に、図１７に示すように、第１バルブ１３１ｖ、第４バルブ１５２ｖおよび第５バルブ１４１ｖを閉じて、第２バルブ１４２ｖおよび第３バルブ１５１ｖを開いた状態にする。血液ポンプ１１１、第１ポンプ１６０、第２ポンプ１６１および第３ポンプ１６２が引き続き稼働することにより、第１供給源１３０から補液管路１３１への第１液１０の流入が停止し、第１貯液部１４０に貯液されていた第１液１０が、第１分岐路１４２に送り出される。第１分岐路１４２に送り出された第１液１０は、補液管路１３１に流量Ｑｓで流入する。このときの収容部１８０の重量変化を秤１３９によって測定することにより、(Ｑｄ＋Ｑｓ)を実測することができる。先の工程で得られたＱｄの実測値を(Ｑｄ＋Ｑｓ)の実測値から減算することにより、実際の流量Ｑｓを算出することができる。この工程により、図７に示すように、補液供給速度が測定される(Ｓ３)。この工程の後、第１バルブ１３１ｖおよび第５バルブ１４１ｖの少なくとも一方を開いて、第１貯液部１４０の第１液１０の貯液量、および、第３貯液部２４０の第２液３０の貯液量の少なくとも一方を回復しておいてもよい。
【００７９】
次に、図１８に示すように、第１バルブ１３１ｖ、第３バルブ１５１ｖおよび第５バルブ１４１ｖを閉じて、第２バルブ１４２ｖおよび第４バルブ１５２ｖを開いた状態にする。血液ポンプ１１１、第１ポンプ１６０、第２ポンプ１６１および第３ポンプ１６２が引き続き稼働することにより、排液管路１５１の下流端からの排液の排出が停止し、第２分岐路１５２に排液２０が流入する。第２分岐路１５２に流入した排液２０は、流量Ｑｕで第２貯液部１５０内に流入して貯液される。
【００８０】
このときの収容部１８０の重量変化を秤１３９によって測定することにより、Ｑｕ−(Ｑｄ＋Ｑｓ)を実測することができる。Ｑｕ−(Ｑｄ＋Ｑｓ)は、除水速度である。先の工程において、実際の流量Ｑｄおよび実際の流量Ｑｓが算出されているため、Ｑｕ−(Ｑｄ＋Ｑｓ)の実測値に、Ｑｄの実測値とＱｓの実測値とを加算することにより、流量Ｑｕを算出することができる。Ｑｕは、濾過速度である。この工程により、図７に示すように、濾過速度および除水速度が測定される(Ｓ４)。
【００８１】
たとえば、第２貯液部１５０内の約８０％が排液２０で満たされる予測時間になるまで、第２貯液部１５０内に排液２０を流入させる。よって、第２貯液部１５０は、容量が正確であるように精密に作製されている必要はない。血液浄化装置２００の稼働時間と実際の除水速度との積から除水量を正確に測定できる。
【００８２】
次に、図１９に示すように、第１バルブ１３１ｖおよび第５バルブ１４１ｖを閉じて、第２バルブ１４２ｖ、第３バルブ１５１ｖおよび第４バルブ１５２ｖを開いた状態にする。血液ポンプ１１１、第１ポンプ１６０、第２ポンプ１６１および第３ポンプ１６２が引き続き稼働することにより、第２貯液部１５０に貯液されていた排液２０を第２分岐路１５２に送り出される。第２分岐路１５２に送り出された排液２０は、排液管路１５１に流入し、排液管路１５１の下流端から外部に排出される。
【００８３】
第２貯液部１５０内の排液２０が全て排出された後、第４バルブ１５２ｖを閉じて、第１バルブ１３１ｖ、第２バルブ１４２ｖ、第３バルブ１５１ｖおよび第５バルブ１４１ｖを開いた状態にする。これにより、図１５に示す状態に戻る。
【００８４】
図７に示すように、上記の工程Ｓ２〜Ｓ４によって得られた、透析供給速度、補液供給速度、濾過速度および除水速度の測定結果に基づいて、各々の速度を再設定する(Ｓ５)。
【００８５】
上記の工程Ｓ２により測定された実際の透析液供給速度と、工程Ｓ１により設定された透析液供給速度との間に差がある場合には、第１ポンプ１６０の出力を調整する。具体的には、実際の流量Ｑｄが設定流量Ｑｄより大きい場合には、第１ポンプ１６０の出力を低くする。実際の流量Ｑｄが設定流量Ｑｄより小さい場合には、第１ポンプ１６０の出力を高くする。
【００８６】
上記の工程Ｓ３により測定された実際の補液供給速度と、工程Ｓ１により設定された補液供給速度との間に差がある場合には、第２ポンプ１６１の出力を調整する。具体的には、実際の流量Ｑｓが設定流量Ｑｓより大きい場合には、第２ポンプ１６１の出力を低くする。実際の流量Ｑｓが設定流量Ｑｓより小さい場合には、第２ポンプ１６１の出力を高くする。
【００８７】
上記の工程Ｓ４により測定された実際の濾過速度と、工程Ｓ１により設定された濾過速度との間に差がある場合には、第３ポンプ１６２の出力を調整する。具体的には、実際の流量Ｑｕが設定流量Ｑｕより大きい場合には、第３ポンプ１６２の出力を低くする。実際の流量Ｑｕが設定流量Ｑｕより小さい場合には、第３ポンプ１６２の出力を高くする。
【００８８】
上記のように、流量Ｑｄ、流量Ｑｓおよび流量Ｑｕの各々の実測値を設定値に近づけるように調整することにより、除水速度であるＱｕ−(Ｑｄ＋Ｑｓ)の実測値を設定値に近づけることができる。上記の一連の動作を一定間隔毎に繰り返し行なうことにより、除水量を正確に維持することができる。上記のようなフィードバック制御を行なう制御部を、血液浄化装置２００が備えていることが好ましい。
【００８９】
本実施形態に係る血液浄化装置２００は、収容部１８０の重量変化を秤１３９で測定するのみで除水量を正確に測定できるため、構成が簡易である。また、第１ポンプ１６０、第２ポンプ１６１および第３ポンプ１６２を継続して稼働させた状態で、第１ポンプ１６０、第２ポンプ１６１および第３ポンプ１６２の各々の送出流量を測定することができる。本実施形態に係る血液浄化装置２００は、補液と透析液とを成分の異なる液とすることができる。
【００９０】
ここで、血液浄化装置の運転サイクルの一例について説明する。図２０は、本発明の実施形態２に係る血液浄化装置の運転サイクルを示すフローチャートである。図２０に示すように、血液浄化装置２００において、除水速度を測定する(Ｓ１１)。次に、測定された除水速度が許容範囲内であるか判定する(Ｓ１２)。除水速度が許容範囲内でない場合、除水速度をフィードバック制御する(Ｓ１３)。その後、工程Ｓ１１に戻る。
【００９１】
除水速度が許容範囲内である場合、一定時間隔毎に、または、測定開始信号を受信した際に、透析液供給速度を測定する(Ｓ２３)。次に、補液供給速度を測定する(Ｓ２４)。次に、濾過速度を測定する(Ｓ２５)。次に、透析液供給速度、補液供給速度および濾過速度の測定結果に基づいて各々の速度をフィードバック制御する(Ｓ２６)。その後、工程Ｓ１１に戻る。
【００９２】
上記の一連の運転サイクルで血液浄化装置２００を動作させることにより、除水速度を安定して維持することができる。なお、上記の運転サイクルを実施形態１の血液浄化装置１００に適用してもよい。
【００９３】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００９４】
１０  第１液、２０  排液、３０  第２液、１００，２００  血液浄化装置、１１０  上流側血液管路、１１１  血液ポンプ、１１２  動脈側ドリップチャンバ、１１３  上流側圧力測定装置、１１４  静脈側ドリップチャンバ、１１５  下流側圧力測定装置、１１６  下流側血液管路、１２０  血液浄化器、１２１  血液入口、１２２  血液出口、１２３  排液出口、１２４  透析液入口、１３０  第１供給源、１３１  補液管路、１３１ｖ  第１バルブ、１３９  秤、１４０  第１貯液部、１４１  透析液管路、１４１ｖ  第５バルブ、１４２  第１分岐路、１４２ｖ  第２バルブ、１５０  第２貯液部、１５１  排液管路、１５１ｖ  第３バルブ、１５２  第２分岐路、１５２ｖ  第４バルブ、１６０  第１ポンプ、１６１  第２ポンプ、１６２  第３ポンプ、１７０  第１ヒータ、１７１  第２ヒータ、１８０  収容部、２３０  第２供給源、２４０  第３貯液部、２４２  第３分岐路。
【図１】
2018027205.tif 000003
【図２】
2018027205.tif 000004
【図３】
2018027205.tif 000005
【図４】
2018027205.tif 000006
【図５】
2018027205.tif 000007
【図６】
2018027205.tif 000008
【図７】
2018027205.tif 000009
【図８】
2018027205.tif 000010
【図９】
2018027205.tif 000011
【図１０】
2018027205.tif 000012
【図１１】
2018027205.tif 000013
【図１２】
2018027205.tif 000014
【図１３】
2018027205.tif 000015
【図１４】
2018027205.tif 000016
【図１５】
2018027205.tif 000017
【図１６】
2018027205.tif 000018
【図１７】
2018027205.tif 000019
【図１８】
2018027205.tif 000020
【図１９】
2018027205.tif 000021
【図２０】
2018027205.tif 000022